(57)【要約】【課題】従来の映像表示装置によって動作が制御される外部機器は、ＩＥＥＥ１３９４ネットワークで接続されている必要があり、映像表示装置がＩＥＥＥ１３９４ネットワークに対応していない外部機器を制御することはできなかった。【解決手段】この発明の映像表示装置は、映像表示装置によって動作の制御が行われる外部機器が選択される外部機器選択手段と、外部機器および映像表示装置の動作を制御するリモコンコードが保存されるリモコンコード保存手段と、映像表示装置の動作を制御する信号を受信する動作制御信号受信部と、受信された映像表示装置の動作を制御する信号を保存された外部機器および映像表示装置の動作を制御するためのリモコンコードを参照して、選択された外部機器のリモコンコードに変換するリモコンコード変換手段とを備えるように構成している。【選択図】  図２
2004207931.tif 000002
【特許請求の範囲】
【請求項１】
複数の外部機器と接続され、複数の外部機器から出力された映像信号を受信して表示し、また接続された外部機器の動作を制御する映像表示装置において、
映像表示装置と接続され、映像表示装置によって動作の制御が行われる外部機器が選択される外部機器選択手段と、
前記選択された外部機器および映像表示装置の動作を制御するためのリモコンコードが保存されるリモコンコード保存手段と、
映像表示装置の動作を制御するための信号を受信する動作制御信号受信部と、前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、
前記外部機器の動作を制御するために変換されたリモコンコードを出力するリモコンコード出力手段とを備えることを特徴とする映像表示装置。
【請求項２】
複数の外部機器と接続され、複数の外部機器から出力された映像信号を受信して表示し、また接続された外部機器の動作を制御する映像表示装置において、
映像表示装置と接続され、映像表示装置によって動作の制御が行われる外部機器が選択される外部機器選択手段と、
前記選択された外部機器および映像表示装置の動作を制御するためのリモコンコードが保存されるリモコンコード保存手段と、
映像表示装置の動作を制御するための信号を受信する動作制御信号受信部と、前記受信した映像表示装置の動作を制御するための信号をデコード処理するデコード処理手段と、
前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、
前記外部機器の動作を制御するために変換されたリモコンコードをエンコード処理するエンコード手段と、
前記エンコード処理されたリモコンコードを出力するリモコンコード出力手段とを備えることを特徴とする映像表示装置。
【請求項３】
複数の外部機器と接続され、複数の外部機器から出力された映像信号を受信して表示し、また接続された外部機器の動作を制御する映像表示装置において、
複数の外部機器から出力された映像信号を受信する映像信号受信部と、
前記受信した映像信号を表示する映像表示部と、
映像表示装置と接続され、映像表示装置によって動作の制御が行われる前記複数の外部機器が選択される外部機器選択手段と、
前記選択された外部機器および映像表示装置の動作を制御するためのリモコンコードが保存されるリモコンコード保存手段と、
映像表示装置の動作を制御するための信号を受信する動作制御信号受信部と、前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、
前記外部機器の動作を制御するために変換されたリモコンコードを出力するリモコンコード出力手段とを備えることを特徴とする映像表示装置。
【請求項４】
複数の外部機器と接続され、複数の外部機器から出力された映像信号を受信して表示し、また接続された外部機器の動作を制御する映像表示装置において、
映像表示装置と接続され、映像表示装置に動作が制御される外部機器から送信されるリモコンコードを受信し、受信したリモコンコードに基づいて動作を制御する外部機器を設定する外部機器設定手段と、
前記設定された外部機器の中から映像表示装置によって動作の制御が行われる外部機器が選択される外部機器選択手段と、
前記選択された外部機器および映像表示装置の動作を制御するためのリモコンコードが予め保存されるリモコンコード保存手段と、
映像表示装置の動作を制御するための信号を受信する動作制御信号受信部と、前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、
前記外部機器の動作を制御するために変換されたリモコンコードを出力するリモコンコード出力手段とを備えることを特徴とする映像表示装置。
【請求項５】
前記リモコンコード保存手段は選択された外部機器および映像表示装置の動作を制御するためのリモコンコードが保存されたコード表テーブルであることを特徴とする請求項１乃至４に記載の映像表示装置。
【請求項６】
複数の外部機器と接続され、複数の外部機器から出力された映像信号を受信して表示し、また接続された外部機器の動作を制御する放送受信装置において、
放送を受信して放送で送信された映像信号を取得する放送受信部と、
複数の外部機器から出力された映像信号を受信する映像信号受信部と、
前記放送で送信され受信した映像信号および外部機器から出力され受信した映像信号を表示する映像表示部と、
放送受信装置と接続され、放送受信装置によって動作の制御が行われる前記複数の外部機器が選択される外部機器選択手段と、
前記選択された外部機器および放送受信装置の動作を制御するためのリモコンコードが保存されるリモコンコード保存手段と、
放送受信装置の動作を制御するための信号を受信する動作制御信号受信部と、前記受信された放送受信装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、
前記外部機器の動作を制御するために変換されたリモコンコードを出力するリモコンコード出力手段とを備えることを特徴とする放送受信装置。
【請求項７】
前記リモコンコード保存手段は選択された外部機器および映像表示装置の動作を制御するためのリモコンコードが保存されたコード表テーブルであることを特徴とする請求項６に記載の放送受信装置。
【請求項８】
映像表示装置によって動作の制御が行われる外部機器が選択されるステップと、
前記選択された外部機器および映像表示装置の動作を制御するためのリモコンコードが保存されるステップと、
映像表示装置の動作を制御するための信号を受信するステップと、
前記受信された映像表示装置の動作を制御するための信号を、保存された外部機器および映像表示装置の動作を制御するためのリモコンコードを参照して、前記選択された外部機器の動作を制御するためのリモコンコードに変換するステップと、
前記外部機器の動作を制御するために変換されたリモコンコードを出力するステップとを備えることを特徴とする映像表示方法。
【請求項９】
映像表示装置によって動作の制御が行われる外部機器が選択されるステップと、
前記選択された外部機器および映像表示装置の動作を制御するためのリモコンコードが保存されるステップと、
映像表示装置の動作を制御するための信号を受信するステップと、
前記受信した映像表示装置の動作を制御するための信号をデコード処理するステップと、
前記受信された映像表示装置の動作を制御するための信号を、保存された外部機器および映像表示装置の動作を制御するためのリモコンコードを参照して、前記選択された外部機器の動作を制御するためのリモコンコードに変換するステップと、
前記外部機器の動作を制御するために変換されたリモコンコードをエンコード処理するステップと、
前記エンコード処理されたリモコンコードを出力するステップとを備えることを特徴とする映像表示方法。
【請求項１０】
複数の外部機器から出力された映像信号を受信するステップと、
前記受信した映像信号を表示するステップと、
映像表示装置によって動作の制御が行われる前記複数の外部機器が選択されるステップと、
前記選択された外部機器および映像表示装置の動作を制御するためのリモコンコードが保存されるステップと、
映像表示装置の動作を制御するための信号を受信するステップと、
前記受信された映像表示装置の動作を制御するための信号を、保存された外部機器および映像表示装置の動作を制御するためのリモコンコードを参照して、前記選択された外部機器の動作を制御するためのリモコンコードに変換するステップと、
前記外部機器の動作を制御するために変換されたリモコンコードを出力するステップとを備えることを特徴とする映像表示方法。
【請求項１１】
映像表示装置に動作が制御される外部機器から送信されるリモコンコードを受信し、受信したリモコンコードに基づいて動作を制御する外部機器を設定するステップと、
前記設定された外部機器の中から映像表示装置によって動作の制御が行われる外部機器が選択されるステップと、
前記選択された外部機器および映像表示装置の動作を制御するためのリモコンコードが予め保存されるステップと、
映像表示装置の動作を制御するための信号を受信するステップと、
前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するステップと、
前記外部機器の動作を制御するために変換されたリモコンコードを出力するステップとを備えることを特徴とする映像表示方法。
【発明の詳細な説明】
【０００１】
【発明の属する技術分野】
この発明は、複数の外部機器から出力された映像信号を受信して表示し、また複数の外部機器の動作を制御する映像表示装置、映像表示方法、放送受信装置に関する。
【０００２】
【従来の技術】
従来の複数の外部機器から出力された映像信号を受信して表示し、また複数の外部機器の動作を制御する技術は、それぞれＩＥＥＥ１３９４に対応した複数の機器を用いてループを形成し、ループに接続された機器選択装置によって選択操作を行い、外部機器を制御している。（例えば特許文献１）。
【０００３】
また、従来の複数の外部機器から出力された映像信号を受信して表示し、また複数の外部機器の動作を制御する技術は、ＩＥＥＥ１３９４ネットワークで接続された複数の機器のリモコン操作を、機器毎にリモコンのキーに割り付けられるべき操作機能の情報を記憶し、リモコンで指定した機器に応じて制御コマンド変換部によりリモコンキーの操作を、指定した機器の対応する操作コマンドに変換することにより、１台のリモコンで複数の制御対象機器の操作を行うようにしている。（例えば特許文献２）。
【０００４】
【特許文献１】
特開２００２−７８０４０号公報（第４−６頁、図１）
【特許文献２】
特開２００１−１２８２６３号公報（第６−１１頁、図１）
【０００５】
【発明が解決しようとする課題】
上記特許文献１および特許文献２の技術は、映像表示装置によって動作が制御される外部機器は、ＩＥＥＥ１３９４ネットワークで接続されている必要があり、映像表示装置がＩＥＥＥ１３９４ネットワークに対応していない外部機器を制御することはできなかった。
【０００６】
【課題を解決するための手段】
この発明に係る映像表示装置は、映像表示装置と接続され、映像表示装置によって動作の制御が行われる外部機器が選択される外部機器選択手段と、前記選択された外部機器および映像表示装置の動作を制御するためのリモコンコードが保存されるリモコンコード保存手段と、映像表示装置の動作を制御するための信号を受信する動作制御信号受信部と、前記受信された映像表示装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、前記外部機器の動作を制御するために変換されたリモコンコードを出力するリモコンコード出力手段とを備えるように構成している。
【０００７】
またこの発明に係る映像表示方法は、映像表示装置によって動作の制御が行われる外部機器が選択されるステップと、前記選択された外部機器および映像表示装置の動作を制御するためのリモコンコードが保存されるステップと、映像表示装置の動作を制御するための信号を受信するステップと、前記受信された映像表示装置の動作を制御するための信号を、保存された外部機器および映像表示装置の動作を制御するためのリモコンコードを参照して、前記選択された外部機器の動作を制御するためのリモコンコードに変換するステップと、前記外部機器の動作を制御するために変換されたリモコンコードを出力するステップとを備えるように構成している。
【０００８】
またこの発明に係る放送受信装置は、放送を受信して放送で送信された映像信号を取得する放送受信部と、複数の外部機器から出力された映像信号を受信する映像信号受信部と、前記放送で送信され受信した映像信号および外部機器から出力され受信した映像信号を表示する映像表示部と、放送受信装置と接続され、放送受信装置によって動作の制御が行われる前記複数の外部機器が選択される外部機器選択手段と、前記選択された外部機器および放送受信装置の動作を制御するためのリモコンコードが保存されるリモコンコード保存手段と、放送受信装置の動作を制御するための信号を受信する動作制御信号受信部と、前記受信された放送受信装置の動作を制御するための信号を、前記リモコンコード保存手段に保存された外部機器および映像表示装置の動作を制御するためのリモコンコードを参照して、前記選択された外部機器の動作を制御するためのリモコンコードに変換するリモコンコード変換手段と、前記外部機器の動作を制御するために変換されたリモコンコードを出力するリモコンコード出力手段とを備えるように構成している。
【０００９】
【発明の実施の形態】
以下、図面を参照してこの発明に係る実施の形態を説明する。
【００１０】
図１はこの発明の実施の形態に係る映像表示装置の構成を示すブロック図である。
【００１１】
符号１１はＢＳデジタル放送受信アンテナ、符号１２はチューナ、符号１３はデジタル放送デコーダ、符号１４はリモコン受光部、符号１５はＣＰＵ、符号１６は表示画面作成部、符号１７は映像・音声入力端子１、符号１８は映像・音声入力端子２、符号２０はディスプレーである。
【００１２】
ここでは、映像表示装置（放送受信装置）１０は、ＣＰＵ１５によって制御されている。
【００１３】
図示しない放送局から送信されたＢＳデジタル放送がＢＳデジタル放送受信アンテナ１１で受信され、ＢＳデジタル放送信号が出力される。
【００１４】
ＢＳデジタル放送受信アンテナ１１から出力されたＢＳデジタル放送信号はチューナ１２で所定の放送局が選局されて受信され、選局されたＢＳデジタル放送信号が出力される。このときＢＳデジタル放送信号はＭＰＥＧ２等のエンコード処理が施されている。
【００１５】
チューナ１２から出力されたＢＳデジタル放送信号はデコーダ１３に入力され、ＭＰＥＧ２等のエンコード処理が施されたＢＳデジタル放送信号のデコード処理が施されて出力される。
【００１６】
デコード処理が施されてデコーダ１３から出力されたＢＳデジタル放送信号はディスプレー２０へ入力されて、選局されたＢＳデジタル放送に係る映像および音声が再生出力される。
【００１７】
表示画面作成部１６ではＥＰＧ（Electrical Programmable Guide）等の番組選択画面やデータ放送の表示画面が作成される。表示画面作成部１６で作成された表示画面はデコーダ１３から出力されたＢＳデジタル放送信号と重畳され、または切換えてディスプレー２０に表示される。
【００１８】
リモコン受光部１４では後述するＴＶ用リモコン送信機（ＴＶ用リモコン）３０から送信された制御信号を受信する。リモコン受光部１４で受信された制御信号はＣＰＵ１５へ送信され、制御信号にしたがってＣＰＵ１５が映像表示装置（放送受信装置）１０の制御を行う。
【００１９】
映像・音声入力端子１（１７）、映像・音声入力端子２（１８）は、それぞれ映像表示装置（放送受信装置）１０の外部接続機器から送信された映像信号（映像信号および音声信号、以後は両者を総称して映像信号と呼ぶ）等の入力信号が入力される端子である。映像・音声入力端子１（１７）、映像・音声入力端子２（１８）に入力された映像信号はＣＰＵ１５に制御され、デコーダ１３から出力されたＢＳデジタル放送信号や表示画面作成部１６で作成された表示画面等との重畳または切換えが適宜行われ、ディスプレー２０に表示される。
【００２０】
尚、上記説明においては、放送の一例としてＢＳデジタル放送を用いて説明を行ったが、この発明において放送は、ＢＳデジタル放送に限られるものではなく、地上波アナログ放送、ＢＳアナログ放送、ＣＳデジタル放送等の一般的な放送に適用される。
【００２１】
図２は、この発明の実施の形態に係る映像表示装置と外部機器の構成を示すブロック図である。上記説明と同様の構成については同一の符号を付して説明を省力する。
【００２２】
符号１はデコード部、符号２はリモコンコードサブサンプリング部、符号３  はコード表テーブル、符号４はエンコード部、符号５はＩＲ送出部、符号６はＩＲ送出部、符号３０はＴＶ用リモコン送信機（ＴＶ用リモコン）である。
【００２３】
まず、ユーザによってＴＶ用リモコン３０が操作される。後述するようにＴＶ用リモコン３０には、映像表示装置（放送受信装置）１０によって動作の制御が行われる外部機器が選択される選択ボタンが備えられている。
【００２４】
この外部機器の選択ボタンが選択され場合は、映像表示装置（放送受信装置）１０が選択された外部機器の動作の制御を行う。外部機器の選択ボタンが選択されない場合は、通常のＴＶ用リモコンとして動作する。
【００２５】
外部機器の選択ボタンが選択されると、受信されたＴＶ用リモコンのリモコンコードを、選択された外部機器を制御するリモコンコードに変換して出力し、選択された外部機器を制御する。
【００２６】
例えば、外部機器の選択ボタンが選択される。このとき選択された外部機器はＣＡＴＶ端末（ここでは外部機器１）とする。
【００２７】
外部機器１（ＣＡＴＶ端末）が選択された後に、ユーザ操作によってリモコンキーが操作され、ＴＶ用リモコン３０から映像表示装置（放送受信装置）１０に向けて赤外光（Infra-red）に変換されたリモコン信号が出力（送信）される。
【００２８】
ＴＶ用リモコン３０から送信されたリモコン信号は、映像表示装置（放送受信装置）１０のリモコン受光部１４で受光される。リモコン受光部１４で受光された赤外光のリモコン信号は、電気信号に変換されてデコード部１へ送信される。
【００２９】
デコード部１へ送信されたリモコン信号は、リモコンコード信号へのデコード処理（変換）が行われて出力される。
【００３０】
デコード部１から出力されたＴＶ用リモコン３０のリモコンコード信号は、ＣＰＵ１５によって、選択された外部機器１のリモコンコード信号に変換される（リモコンコード変換）。
【００３１】
すなわち、ＣＰＵ１５によってリモコンコード変換処理が行われ、ＴＶ用リモコン３０のリモコンコード信号が、選択された外部機器１（ＣＡＴＶ端末４０）用のリモコンコード信号に変換される。
【００３２】
このとき、ＣＰＵ１５は、コード表テーブルに保存されているＴＶ用リモコン３０および外部機器１（ＣＡＴＶ端末４０）のリモコンコード信号を参照して、リモコンコード信号の変換処理を行う。
【００３３】
外部機器１（ＣＡＴＶ端末４０）用に変換されたリモコンコード信号は、エンコード部４へ入力される。エンコード部４へ入力されたリモコンコード信号は、リモコン信号送信用の電気信号に変換されて出力される。
【００３４】
ここでは、電気信号に変換されたリモコンコード信号は、ＩＲ送出部５へ送信される。ＩＲ送出部５では、リモコンコード信号を赤外光に変換して、外部機器１（ＣＡＴＶ端末４０）に向けて出力する。
【００３５】
ＩＲ送出部５から出力されたリモコンコード信号は、外部機器１（ＣＡＴＶ端末４０）のリモコン受光部４４で受光される。外部機器１（ＣＡＴＶ端末４０）は、ＣＡＴＶ端末用リモコン４１で制御されるの同様に、映像表示装置（放送受信装置）１０から送信されるリモコン光によって制御される。
【００３６】
符号４０はＣＡＴＶ端末（ＳＴＢ）、符号４４はリモコン受光部、符号４５はＣＰＵ、符号４６は表示画面作成部、符号４７は映像・音声出力端子１である。
【００３７】
リモコン受光部４４で受光されたリモコンコード信号は、上記と同様にＣＰＵ４５に送信され、ＣＡＴＶ端末（ＳＴＢ）４０の動作が制御される。
【００３８】
ＣＡＴＶ端末（ＳＴＢ）４０で受信（図示せず）された映像信号や表示画面作成部４６で作成された映像信号は、映像・音声出力端子１（４７）を介して映像表示装置１０の映像入力端子１（１７）へ入力され、上記と同様にディスプレー２０に表示される。
【００３９】
すなわち、ユーザがＴＶ用リモコン３０の外部機器１（ＣＡＴＶ端末４０）を選択することで、ＴＶ用リモコン３０を操作して、外部機器１（ＣＡＴＶ端末４０）を制御することができる。
【００４０】
同様に、外部機器の選択ボタンが操作され、デジタル放送ＳＴＢ（外部機器２）が選択されたとする。
【００４１】
外部機器２（デジタル放送ＳＴＢ）が選択された後に、ユーザ操作によってリモコンキーが操作され、ＴＶ用リモコン３０から映像表示装置（放送受信装置）１０に向けて赤外光（Infra-red）に変換されたリモコン信号が出力（送信）される。
【００４２】
ＴＶ用リモコン３０から送信されたリモコン信号は、映像表示装置（放送受信装置）１０のリモコン受光部１４で受光される。リモコン受光部１４で受光された赤外光のリモコン信号は、電気信号に変換されてデコード部１へ送信される。
【００４３】
デコード部１へ送信されたリモコン信号は、リモコンコード信号へのデコード処理（変換）が行われて出力される。
【００４４】
デコード部１から出力されたＴＶ用リモコン３０のリモコンコード信号は、ＣＰＵ１５によって、選択された外部機器２（デジタル放送ＳＴＢ）のリモコンコード信号に変換される（リモコンコード変換）。
【００４５】
すなわち、ＣＰＵ１５によってリモコンコード変換処理が行われ、ＴＶ用リモコン３０のリモコンコード信号が、選択された外部機器２（デジタル放送ＳＴＢ）用のリモコンコード信号に変換される。
【００４６】
このとき、ＣＰＵ１５は、コード表テーブルに保存されているＴＶ用リモコン３０および外部機器２（デジタル放送ＳＴＢ）のリモコンコード信号を参照して、リモコンコード信号の変換処理を行う。
【００４７】
外部機器２（デジタル放送ＳＴＢ）用に変換されたリモコンコード信号は、エンコード部４へ入力される。エンコード部４へ入力されたリモコンコード信号は、リモコン信号送信用の電気信号に変換されて出力される。
【００４８】
ここでは、電気信号に変換されたリモコンコード信号は、ＩＲ送出部６へ送信される。ＩＲ送出部６では、リモコンコード信号を赤外光に変換して、外部機器２（デジタル放送ＳＴＢ）に向けて出力する。
【００４９】
ＩＲ送出部６から出力されたリモコンコード信号は、外部機器２（デジタル放送ＳＴＢ）のリモコン受光部５７で受光される。外部機器２（デジタル放送ＳＴＢ）は、デジタル放送ＳＴＢ用リモコン５１で制御されるの同様に、映像表示装置（放送受信装置）１０から送信されるリモコン光によって制御される。
【００５０】
符号５０はデジタル放送ＳＴＢ（ＳＴＢ）、符号５７はリモコン受光部、符号５５はＣＰＵ、符号５６は表示画面作成部、符号２８は映像・音声出力端子１である。
【００５１】
リモコン受光部５７で受光されたリモコンコード信号は、上記と同様にＣＰＵ４５に送信され、デジタル放送ＳＴＢ（ＳＴＢ）５０の動作が制御される。
【００５２】
デジタル放送ＳＴＢ（ＳＴＢ）５０で受信（図示せず）された映像信号や表示画面作成部５６で作成された映像信号は、映像・音声出力端子２（２８）を介して映像表示装置１０の映像入力端子２（１８）へ入力され、上記と同様にディスプレー２０に表示される。
【００５３】
すなわち、ユーザがＴＶ用リモコン３０の外部機器２（デジタル放送ＳＴＢ）を選択することで、ＴＶ用リモコン３０を操作して、外部機器２（デジタル放送ＳＴＢ４０）を制御することができる。
【００５４】
ここで、映像表示装置１０のリモコンコードサブサンプリング部２について説明を行う。
【００５５】
上記のようにリモコン受光部で受光され、リモコンコードサブサンプリング部２へ入力されたリモコンコード信号は、サブサンプリング処理が行われる。ＣＰＵ１５には、予めリモコンコード信号を受け付ける外部接続機器が設定されている。ここでは、外部接続機器は外部機器１（ＣＡＴＶ端末４０）、外部機器２（デジタルＳＴＢ５０）である。すなわち、受信したリモコンコード信号が、外部機器１（ＣＡＴＶ端末４０）、外部機器２（デジタルＳＴＢ５０）のいずれかのものに合致するかが確認される。このとき、設定されていない外部接続機器からリモコンコード信号を受信しても、動作しないようにしている。
【００５６】
リモコンコードサブサンプリング部２では、リモコンコード信号を受け付けるように設定された外部機器（外部機器１（ＣＡＴＶ端末４０）または外部機器２（デジタルＳＴＢ５０））から送信されたリモコンコード信号を受信すると、受信したリモコンコード信号から外部接続機器のを特定する。ここでの特定とは、例えば外部接続機器が○○社製のＣＡＴＶ端末であり、使用されるリモコンコード信号は××××であるというものである。リモコンコード信号は、同一社製の同じように製品であっても異なっている場合がある。このため、この発明の実施の形態においては、特に、リモコンコード信号を特定することが重要である。
【００５７】
ここでは、後述するように、ＣＡＴＶ端末４０用リモコン４１やデジタル放送ＳＴＢ用リモコン５１から送信されたリモコンコード信号を受信して、受信したリモコンコード信号からＣＡＴＶ端末４０やデジタル放送ＳＴＢ用リモコン５１で使用されるリモコンコードが特定される。
【００５８】
コード表テーブル３には可能な限り、映像表示装置１０に外部接続されることが予想される各社製品のリモコンコードが保存されている。
【００５９】
図３は、この発明の実施の形態に係る映像表示装置および外部機器の動作の制御を指示するＴＶ用リモコンを示す図である。
【００６０】
符号３１は外部接続機器１選択ボタン、符号３２は外部接続機器２選択ボタン、符号３３は外部接続機器３選択ボタンである。ここでは、外部接続機器３は接続されていないので、外部接続機器３選択ボタン３３が選択されても動作しない。
【００６１】
上記のように、外部接続機器１選択ボタン３１、外部接続機器２選択ボタン３２、外部接続機器３選択ボタン３３を選択操作することで、映像表示装置１０によって動作が制御される外部機器が選択される。
【００６２】
図４は、この発明の実施の形態に係る映像表示装置へ、映像表示装置によって動作が制御される外部機器が設定されるようすを示す図である。
【００６３】
上記のように、ＣＡＴＶ端末用リモコンから映像表示装置１０に、リモコンコードが送信されると、受信したリモコンコード信号からＣＡＴＶ端末４０で使用されるリモコンコードが特定される。
【００６４】
図５は、この発明の実施の形態に係る映像表示装置へ、映像表示装置によって動作が制御される外部機器が設定されるようすを示す図である。
【００６５】
上記のように、デジタル放送ＳＴＢ用リモコン５１から映像表示装置１０に、リモコンコードが送信されると、受信したリモコンコード信号からデジタル放送ＳＴＢ用リモコン５１で使用されるリモコンコードが特定される。
【００６６】
図６は、この発明の、他の実施の形態に係る映像表示装置の構成を示すブロック図である。
【００６７】
符号７はＩＲ送出部である。この実施の形態においてはＩＲ送出部７は、複数の外部制御機器に向けて赤外リモコン光が送信されるように構成されている。
【００６８】
図７は、この発明の実施の形態に係る映像表示装置へ、映像表示装置によって動作が制御される外部機器が設定されるようすを示すフローチャートである。
【００６９】
符号１０１はここでの開始ステップである。続いて符合１０２を付したステップへ進む。
【００７０】
符号１０２は映像表示装置１０が動作を制御する外部接続機器が選択されたかを判断するステップである。外部接続機器が選択された場合は、符号１０３を付したステップへ進む（Ｙｅｓ）。外部接続機器が選択されなかった場合は、符号１０９を付したステップへ進む（Ｎｏ）。
【００７１】
符号１０３は選択された外部接続機器が外部接続機器１（ＣＡＴＶ端末）であるか否かを判断するステップである。選択された外部接続機器が外部接続機器１（ＣＡＴＶ端末）である場合は、符号１０４を付したステップへ進む（Ｙｅｓ）。選択された外部接続機器が外部接続機器１（ＣＡＴＶ端末）ではない場合は、符号１０６を付したステップへ進む（Ｎｏ）。
【００７２】
符号１０４はテレビ本体に登録されている外部入力１（ＣＡＴＶ端末）のテレビ用リモコンから入力されたリモコンコードを外部入力１（ＣＡＴＶ端末）用リモコンコードに変換するステップである。続いて符合１０５を付したステップへ進む。
【００７３】
符号１０５はテレビ本体から外部入力１（ＣＡＴＶ端末）用リモコンコードを出力するステップである。続いて符合１０９を付したステップへ進む。
【００７４】
符号１０６は選択された外部接続機器が外部接続機器２（デジタル放送ＳＴＢ）であるか否かを判断するステップである。選択された外部接続機器が外部接続機器２（デジタル放送ＳＴＢ）である場合は、符号１０７を付したステップへ進む（Ｙｅｓ）。選択された外部接続機器が外部接続機器２（デジタル放送ＳＴＢ）ではない場合は、符号１０９を付したステップへ進む（Ｎｏ）。
【００７５】
符号１０７はテレビ本体に登録されている外部入力２（デジタル放送ＳＴＢ）のコード表テーブルを参照して、テレビ用リモコンから入力されたリモコンコードを外部入力２（デジタル放送ＳＴＢ）用リモコンコードに変換するステップである。続いて符合１０８を付したステップへ進む。
【００７６】
符号１０８はテレビ本体から外部入力２（デジタル放送ＳＴＢ）用リモコンコードを出力するステップである。続いて符合１０９を付したステップへ進む。
【００７７】
符号１０９はここでの終了ステップである。このときＴＶ用リモコン３０は映像表示装置１０の制御を指示する。
【００７８】
この発明によれば、映像表示装置によって外部機器の動作を制御することができる。
【００７９】
またこの発明によれば、ユーザは、映像表示装置によって動作の制御が行われる外部機器を選択することができる。
【００８０】
またこの発明によれば、ユーザは映像表示装置の制御装置を用いて映像表示装置に接続された外部機器を制御することができる。
【００８１】
またこの発明によれば、既存の外部機器の動作を、映像表示装置によって制御することができる。
【００８２】
【発明の効果】
上記説明したように、この発明によれば、映像表示装置によって外部機器の動作を制御することができる。
【００８３】
またこの発明によれば、ユーザは、映像表示装置によって動作の制御が行われる外部機器を選択することができる。
【００８４】
またこの発明によれば、ユーザは映像表示装置の制御装置を用いて映像表示装置に接続された外部機器を制御することができる。
【００８５】
またこの発明によれば、既存の外部機器の動作を、映像表示装置によって制御することができる。
【図面の簡単な説明】
【図１】この発明の実施の形態に係る映像表示装置の構成を示すブロック図。
【図２】この発明の実施の形態に係る映像表示装置と外部機器の構成を示すブロック図。
【図３】この発明の実施の形態に係る映像表示装置および外部機器の動作の制御を指示するＴＶ用リモコンを示す図。
【図４】この発明の実施の形態に係る映像表示装置へ、映像表示装置によって動作が制御される外部機器が設定されるようすを示す図。
【図５】この発明の実施の形態に係る映像表示装置へ、映像表示装置によって動作が制御される外部機器が設定されるようすを示す図。
【図６】この発明の、他の実施の形態に係る映像表示装置の構成を示すブロック図。
【図７】この発明の実施の形態に係る映像表示装置へ、映像表示装置によって動作が制御される外部機器が設定されるようすを示すフローチャート。
【符号の説明】
１  …  デコード部
２  …  リモコンコードサブサンプリング部
３  …  コード表テーブル
４  …  エンコード部
５  …  ＩＲ送出部
６  …  ＩＲ送出部
７  …  ＩＲ送出部
１０  …  映像表示装置（放送受信装置）
１１  …  ＢＳデジタル放送受信アンテナ
１２  …  チューナ
１３  …  デジタル放送デコーダ
１４  …  リモコン受光部
１５  …  ＣＰＵ
１６  …  表示画面作成部
１７  …  映像・音声入力端子１
１８  …  映像・音声入力端子２
２０  …  ディスプレー
２８  …  映像・音声出力端子２
３０  …  ＴＶ用リモコン送信機（ＴＶ用リモコン）
３１  …  外部接続機器１選択ボタン
３２  …  外部接続機器２選択ボタン
３３  …  外部接続機器３選択ボタン
４０  …  ＣＡＴＶ端末（ＳＴＢ）
４４  …  リモコン受光部
４５  …  ＣＰＵ
４６  …  表示画面作成部
４７  …  映像・音声出力端子１
５０  …  デジタル放送ＳＴＢ（ＳＴＢ）
５５  …  ＣＰＵ
５６  …  表示画面作成部
５７  …  リモコン受光部
【図１】
2004207931.tif 000003
【図２】
2004207931.tif 000004
【図３】
2004207931.tif 000005
【図４】
2004207931.tif 000006
【図５】
2004207931.tif 000007
【図６】
2004207931.tif 000008
【図７】
2004207931.tif 000009